(57)【要約】【課題】仮止め自在の桁階段を提供する。【解決手段】本発明は、階下の床（１００）と上の階の床（１０１）の間に載置される桁（２）上に踏板を設けて成る階段（１）で、桁は棒状部材であって、軸に沿って断面凸形状の空洞で、凸形状の中央上部が開口している溝（８、９）が設けられ、溝の内部には溝に摺動可能に嵌る断面凸形状の部材で、溝に沿う形状で、溝幅（Ｌ２）よりも長い（Ｌ１）本体を有し、断面凸形状の左右の段部分に尖った突起部（１０ｂ）を有している摺動保持具（１０）が設けられており、踏板は、桁に向けて突出しており、溝の開口と重なる位置に穴を有している取り付け部材（１３、１４）を底面に有しており、取り付け部材の穴及び桁の溝の開口を介して、摺動保持具を外側に牽引し、摺動保持具の突起部を桁の溝の開口近傍の内面に圧着し、刺して固定する連結部を有している。本階段は、仮止め自在で、踏板の位置を変えても痕を残さない。【選択図】図１１
2020016064.tif 000002
【特許請求の範囲】
【請求項１】
階下の床と上の階の床の間に斜めに載置される桁の上に踏板を設けて成る階段において、
前記桁は、棒状部材であって、その軸に沿って、断面凸形状の空洞で、前記凸形状の中央上部が開口している溝が設けられており、
前記溝の内部には、当該溝に摺動可能に嵌る断面凸形状の部材で、当該溝に沿う形状で、溝の溝幅よりも長い本体を有し、当該断面凸形状の左右の段部分に尖った突起部を有している摺動保持具が設けられており、
前記踏板は、前記桁に向けて突出しており、前記溝の開口と重なる位置に穴を有している取り付け部材を底面に有しており、前記取り付け部材の穴及び前記桁の溝の開口を介して、前記溝の内部にある摺動保持具を外側に牽引し、当該摺動保持具の突起部を前記桁の溝の開口近傍の内面に圧着し、刺して固定する連結部を有している、ことを特徴とする階段。
【請求項２】
前記摺動保持具の突起部は、前記溝の開口近傍の内面よりも硬度が高く、当該溝の内面には前記突起部が圧着される刺嵌部を備えている、請求項1に記載の階段。
【請求項３】
前記摺動保持具は鉄製の滑り止めナットで、前記桁の溝部分はアルミ製で、前記連結部は、前記ナットに螺着するボルトを有している、請求項２に記載の階段。
【請求項４】
前記摺動保持具の突起部は、溝に沿う方向に三角波形状の断面部分を有する、請求項１乃至請求項３の何れか一項に記載の階段。
【請求項５】
前記桁が1本で、前記取り付け部材は、前記階段の踏板の底面中央部分に前記桁を跨ぎ、両側面に接するように突出している２枚の板状取付部を有している、請求項1乃至請求項４の何れか一項に記載の階段。
【請求項６】
前記桁の階下の床に接している部分から、前記階段の踏板の取り付け部材までの間、または、前記溝を通じて隣り合う前記階段の踏板の取り付け部材の間に設けられる、当該溝の開口を塞ぐカバー部材であって、前記溝の開口を塞ぐ板状部分と、当該板状部分の裏側に、前記溝の開口に嵌る差し込み部とを有しているカバー部材を備えている、請求項1乃至請求項５の何れか一項に記載の階段。
【請求項７】
前記差し込み部は、当該溝の開口に着脱可能に嵌る一対の差し込み片部を有している、請求項６に記載の階段。
【請求項８】
前記差し込み部は、当該溝の開口に着脱可能に嵌る一対の差し込み片部と、前記一対の差し込み片部の間に設けられ、前記板状部分とでＴ形材を形成する折れ曲がり防止壁部とを有している、請求項６に記載の階段。
【請求項９】
階下の床と上の階の床の間に斜めに載置される棒状部材からなる桁であって、当該桁の軸に沿って、断面凸形状の空洞で、前記凸形状の中央上部が開口している溝が設けられている桁に、底面に前記溝の開口と重なる位置に穴を有している取り付け部材を備えている踏板を、取り付けて位置決めするのに用いられる摺動保持具において、
前記桁の溝に摺動可能に嵌る断面凸形状の部材で、当該溝に沿う形状で、溝の溝幅よりも長い本体を有し、当該本体の断面凸形状の左右の段部分に尖った突起部を有しており、
前記踏板の取り付け部材の穴及び溝の開口を介して前記溝の内部にある摺動保持具を外側に牽引する連結部によって、当該摺動保持具の突起部が前記桁の溝の開口近傍の内面に圧着され、刺して固定されることを特徴とする摺動保持具。
【発明の詳細な説明】
【技術分野】
【０００１】
本発明は、改良された桁構造を有する階段と、当該階段に用いる摺動保持具に関する。
【背景技術】
【０００２】
下の階だけでなく、その上の階の施工を同時に行う場合、各階の床面の基準高さが定まる前、即ち、床面下のコンクリート床の面しか定まっていない時に、階段を取り付ける必要がある。例えば、床面の施工は、僅かに凸凹のあるコンクリート床の上に大梁又は根太と呼ばれている木材を組み、その上に構造用合板を敷き水平床面を造り、その合板上にフローリング材を敷き詰めてゆく工程を含む。このフローリング材を敷き詰めた面が、一般に床面の基準高さとなる。階段の桁に取り付ける踏板の間隔は、均一であるのが望ましいが、前述のように、各階の床面の基準高さが定まっていない場合、およその値を予測して、桁に踏板の取り付け位置を定め、必要な加工を行うのが一般であった。
【０００３】
図１３に示すように、従来の２本桁階段２００では、桁２０１に踏板をねじ２０２で留めて固定していた（特許文献１の図２を参照）。
【先行技術文献】
【特許文献】
【０００４】
【特許文献１】特開２０１６−９４４号公報
【発明の概要】
【発明が解決しようとする課題】
【０００５】
例えば、オーダーメイドの家又はメゾネットタイプの住戸のある集合住宅の建築を行う場合、階段のある部屋の床面を絨毯にするのか、フローリングにするのか、途中で変わる場合がある。さらには、床面に暖房器具などを埋め込む工程が入る場合もあり、このような場合、床面の基準高さから見て、階段の最初の踏板の位置が低くなったり、高くなったりする、不具合が生じる。
【０００６】
階段の桁に、一度ねじ留めされた踏板の位置を変えるのは難しい。また、取り付けた桁を、そのまま使う場合、踏板の位置を変えた痕が残ってしまい、美観を損なう。
【０００７】
本発明は、上記従来例の問題を解決するためになされたものであり、踏板の位置を自在に変更調節可能な階段と、その階段に使用する摺動保持具を提供することを目的とする。
【課題を解決するための手段】
【０００８】
上記目的を達成するために本発明は、階下の床と上の階の床の間に斜めに載置される桁の上に踏板を設けて成る階段において、前記桁は、棒状部材であって、その軸に沿って、断面凸形状の空洞で、前記凸形状の中央上部が開口している溝が設けられており、前記溝の内部には、当該溝に摺動可能に嵌る断面凸形状の部材で、当該溝に沿う形状で、溝の溝幅よりも長い本体を有し、当該断面凸形状の左右の段部分に尖った突起部を有している摺動保持具が設けられており、前記踏板は、前記桁に向けて突出しており、前記溝の開口と重なる位置に穴を有している取り付け部材を底面に有しており、前記取り付け部材の穴及び前記桁の溝の開口を介して、前記溝の内部にある摺動保持具を外側に牽引し、当該摺動保持具の突起部を前記桁の溝の開口近傍の内面に圧着し、刺して固定する連結部を有している、ことを特徴とする。
【０００９】
前記摺動保持具の突起部は、前記溝の開口近傍の内面よりも硬度が高く、当該溝の内面には前記突起部が圧着される刺嵌部を備えている、のが好ましい。
【００１０】
前記摺動保持具は鉄製の滑り止めナットで、前記桁の溝部分はアルミ製で、前記連結部は、前記ナットに螺着するボルトを有している、のが好ましい。
【００１１】
前記摺動保持具の突起部は、溝に沿う方向に三角波形状の断面部分を有する、のが好ましい。
【００１２】
前記桁が1本で、前記取り付け部材は、前記階段の踏板の底面中央部分に前記桁を跨ぎ、両側面に接するように突出している２枚の板状取付部を有している、のが好ましい。
【００１３】
また、前記桁の階下の床に接している部分から、前記階段の踏板の取り付け部材までの間、または、前記溝を通じて隣り合う前記階段の踏板の取り付け部材の間に設けられる、当該溝の開口を塞ぐカバー部材であって、前記溝の開口を塞ぐ板状部分と、当該板状部分の裏側に、前記溝の開口に嵌る差し込み部とを有しているカバー部材を備えている、ことが好ましい。
【００１４】
上記カバー部材の差し込み部は、当該溝の開口に着脱可能に嵌る一対の差し込み片部を有しており、更には、前記板状部分とでＴ形材を形成する折れ曲がり防止壁部とを有していることが好ましい。
【００１５】
本発明の階段に用いる摺動保持具は、階下の床と上の階の床の間に斜めに載置される棒状部材からなる桁であって、当該桁の軸に沿って、断面凸形状の空洞で、前記凸形状の中央上部が開口している溝が設けられている桁に、底面に前記溝の開口と重なる位置に穴を有している取り付け部材を備えている踏板を、取り付けて位置決めするのに用いられる摺動保持具において、前記桁の溝に摺動可能に嵌る断面凸形状の部材で、当該溝に沿う形状で、溝の溝幅よりも長い本体を有し、当該本体の断面凸形状の左右の段部分に尖った突起部を有しており、前記踏板の取り付け部材の穴及び溝の開口を介して前記溝の内部にある摺動保持具を外側に牽引する連結部によって、当該摺動保持具の突起部が前記桁の溝の開口近傍の内面に圧着され、刺して固定されることを特徴とする。
【発明の効果】
【００１６】
本発明の階段は、桁に取り付ける踏板の位置を必要に応じて変更することができるが、踏板を位置決めする摺動保持具は、桁の凸状溝の左右の段部、即ち外から見えない部分に、刺嵌部を備えているため、位置決めをしっかりとできるだけでなく、踏板の位置を変えた痕を桁の外観部分に残さない。このため、階段の取り付け作業を行う施工業者の便利に資するだけでなく、施工を依頼したエンドユーザは、傷の無い綺麗な外観の階段を利用できる。
【図面の簡単な説明】
【００１７】
【図１】本発明の一実施の形態に係る階段の施工例を示す正面図。
【図２】同階段の右側面図。
【図３】同階段の一部を拡大表示する斜視図。
【図４】同階段の一部を拡大表示する斜視図。
【図５】同階段の桁の溝に使う摺動保持具の（ａ）正面図（ｂ）底面図（ｃ）右側面図。
【図６】同階段の桁の有するアルミフレームの溝への、摺動保持具の取り付け方を図解する斜視図。
【図７】同階段の踏板の取り付け部の間に使うプラスチックのカバー部材の（ａ）左側面図（ｂ）背面図（ｃ）正面図（ｄ）右側面図（ｅ）底面図
【図８】カバー部材の斜視図。
【図９】同階段の踏板の取り付け部の間に使うプラスチックのカバー部材の変形例の（ａ）左側面図（ｂ）背面図（ｃ）正面図（ｄ）右側面図（ｅ）底面図
【図１０】カバー部材の変形例の斜視図。
【図１１】同階段の踏板の桁への取り付け方を図解する分解斜視図。
【図１２】同階段の桁の溝へ、カバー部材の取り付けを図解する分解斜視図。
【図１３】従来の桁階段の斜視図。
【発明を実施するための形態】
【００１８】
本発明の階段は、階下の床と上の階の床の間に斜めに載置される桁の上に踏板を設けて成る階段に関する。桁は、棒状部材であって、その軸に沿って、断面凸形状の空洞で、前記凸形状の中央上部が開口している溝が設けられている。溝の内部には、溝に摺動可能に嵌る断面凸形状の部材で、溝に沿う形状で、溝の溝幅よりも長い本体を有し、断面凸形状の左右の段部分に尖った突起部を有している摺動保持具が設けられている。踏板は、桁に向けて突出しており、溝の開口と重なる位置に穴を有している取り付け部材を底面に有している。さらに、踏板は、取り付け部材の穴及び前記桁の溝の開口を介して、溝の内部にある摺動保持具を外側に牽引し、当該摺動保持具の突起部を前記桁の溝の開口近傍の内面に圧着し、刺して固定する連結部を有している。当該構成を採用することにより、桁に取り付ける踏板の位置を必要に応じて変更することができるが、踏板を位置決めする摺動保持具は、桁の凸状溝の左右の段部分、即ち外から見えない部分に圧着される突起部を備えているため、位置決めをしっかりとできるだけでなく、踏板の位置を変えた痕跡を桁の外観部分に残さない。本発明の階段は、階段の取り付け作業を行う施工業者に便利なだけでなく、施工を依頼したエンドユーザに傷の無い綺麗な外観の階段を利用可能にする。
【００１９】
本発明の一実施の形態に係る階段について、添付の図面を参照しつつ説明する。図１は、階段１の施工例を示す正面図である。階段１は、階下のコンクリート床１００と、上の階の床１０１との間に斜めに載置された鉄製（好ましい実施例として鋼鉄製を含む。以下同じ）の１本桁２と、桁２に間隔を開けて取り付けた３つの木製の踏板３〜５と、上の階の床１０１上に設けた木製の踏板６と、を含んでいる。
【００２０】
図２は、階段１の右側面図を示す。図示するように、桁２は、コンクリート床１００と、床１０１との間に約４５度の傾斜を設けて取り付けられている。本実施の形態では、コンクリート床１００から直立して設けられている壁面１０３に埋め込まれている鉄製の支柱７に桁２の上部が溶接によって取り付けられている。
【００２１】
桁２は、棒状部材であって、その軸に沿って、断面凸形状の空洞で、前記凸形状の中央上部が開口している溝８が設けられている。桁２の反対側にも同様の溝９（図３、図４を参照）が設けられている。
【００２２】
溝８、９の内部には、矩形の点線で示すが、溝に摺動可能に嵌る断面凸形状の部材で、溝８、９に沿う形状で、溝の溝幅よりも長い本体を有し、断面凸形状の左右の段部分に尖った突起部を有している摺動保持具１０（図５及び図６を参照）が設けられている。
【００２３】
踏板３は底面中央部分に、桁２を跨ぎ、桁２の両側面に接するように、桁２に向けて突出している２枚の鉄製の取り付け部材（板状取付部）１３、１４を備えている（図１を参照）。同様に、踏板４は、取り付け部材１５、１６を備えており、踏板５は取り付け部材１７、１８を備えている（図１を参照）。取り付け部材１３〜１８は、溝８、９の開口と重なる位置に穴１３ａ〜１８ａを有している（図１１を参照）。穴１３ａ〜１８ａは、取り付け部材１３〜１８のそれぞれに複数設ける場合、強度を考慮して、数センチ（例えば４〜９ｃｍ）以上、好ましくは十数センチ（例えば１０〜１５ｃｍ）以上の間隔を開けて設ける。本実施形態では穴の芯間隔は１１ｃｍであった。
【００２４】
踏板３において、連結ねじ（連結部）１９は、取り付け部材の穴１３ａ、１４ａ及び桁の溝８、９の開口を介して、溝８、９の内部にある摺動保持具１０を外側に牽引し、摺動保持具１０の突起部を桁２の溝８、９の開口近傍の内面に圧着し、刺して固定している。踏板４、５において、同様である。
【００２５】
桁２の階下のコンクリート床１００に接している部分から、階段の踏板３の取り付け部材１３、１４の間と、溝８、９を通じて隣り合う階段３、４の取り付け部材１３、１５の間、同じく取り付け部１４、１６の間には、溝８、９の開口を塞ぐプラスチック製のカバー部材２０（図７、図８も参照）が設けられている。溝８、９を通じて隣り合う踏板４、５の間、踏板５と支柱７の間についても同様である。
【００２６】
図３は、階段１の踏板３及び踏板４の部分を拡大して斜め上から観た斜視図である。図４は、踏板３及び踏板４の部分を拡大して斜め下から観た斜視図である。何れの図も、桁２周りの構成の理解の容易のため、踏板３及び踏板４の間に設けられているカバー部材２０以外のカバー部材を外し、溝８、９が確認できるようにしている。
【００２７】
桁２は、平行に設けられている長板状の２枚のフランジ２ａ、２ｂを、フランジ２ａ、２ｂの短手方向中央から垂直に設けられている長板状のウェブ２ｃで接続した、いわゆるH形鋼を含む。桁２は、H形鋼のウェブ２ｃを、図示するように、天地方向となる向きに配置して用いられる。上に位置するフランジ２ａの下面両端には、４角柱状のアルミフレーム２２、２３が取り付けられている。アルミフレーム２２、２３には、その軸に沿って、断面凸形状の空洞で、前記凸形状の中央上部が開口している溝８、９が両側方に設けられている。また、アルミフレーム２２、２３は、溝８、９と同様の溝２４、２５（図６を参照）をフランジ２ａに向かい合う側に有しており、摺動保持具１０及び連結ねじ１９によってフランジ２ａに取り付けられている。
【００２８】
桁２に使用する踏板３は、端に加重された時の強度を保つための構造を有している。詳しくは、図４に示すように、鉄製の取り付け部１３、１４は、踏板３より縦横、数ｃｍ程小さなサイズで、厚さ２〜４ｍｍの矩形の鉄板３ａに溶接されている。木製の踏板３は、この鉄板３ａに設けられているねじ穴（図示せず）にねじを差し込むことによって、鉄板３ａに取り付けられている（図１に踏板３〜５に用いられているねじを点線で示す）。踏板４、５についても、同様である。
【００２９】
図５は、摺動保持具１０の（ａ）は正面図、（ｂ）は底面図、（ｃ）は右側面図を示す。摺動保持具１０は、鉄製の滑り止めナットで、連結ねじ（連結部）１９用のねじ穴１０ａが設けられている。摺動保持具１０は、断面凸形状を有している。本明細書において、「断面凸形状」の語には、図５（ｃ）に示すように、溝８、９の断面形状に合わせて、例えば底面側が面取りされている形状を含む。摺動保持部１０の本体部分は、溝８、９に沿う形状を有している。本体部分の長さはＬ１は、溝８、９の溝幅Ｌ２（図６を参照）よりも長く、好ましくは溝幅の２倍以上又はねじ穴１０ａの直径の２倍以上の長さに設定する。例えば、溝幅Ｌ２が１０ｍｍでねじ穴１０ａの直径が６ｍｍの場合、本体部分の長さＬ１は１０ｍｍより大きく、好ましくは２０ｍｍ又は１２ｍｍ以上の長さにする。摺動保持具１０は、当該断面凸形状の左右の段差部分には、溝に沿う方向への引っ張り力に抗する尖った突起部１０ｄを有している。連結ねじ１９は、このナットに螺着するボルトで、踏板３の取り付け部材１３、１４のねじ穴１３ａ、１４ａ及びアルミフレーム２２、２３の溝８、９を介して、連結ねじ１９の先に摺動保持具１０を取り付けて締める。これによって、踏板３は、桁２に固定される。また、桁２のフランジ２ａのねじ穴及びアルミフレーム２２、２３の溝２４、２５を介して、連結ねじ１９の先に摺動保持具１０を取り付けて締めることによって、アルミフレーム２２、２３は、桁２のフランジ２ａに固定される。摺動保持具１０の本体部分の長さに関し、上記構成を採用することによって、溝８、９、２４、２５の内面との接触面積を広くし、十分な滑り止め機能を発揮することができる。この点において、本体部分の長さＬ１に関し、溝８、９の溝幅Ｌ２以下の長さを有し、溝８、９から挿入して、９０度回転して用いるタイプのスライディングナットとは明確に構成が異なる。このようなタイプのスライディングナットの場合、十分な滑り止め機能が得られない。
【００３０】
摺動保持具１０は、断面凸形状の左右の段差部分に、溝８、９に沿う方向に三角波形状の断面を有する突起部１０ｂを有する。突起部１０ｂは、溝８、９の開口近傍の内面よりも硬度の高い材料を用いる。鉄製の突起部１０ｂは、アルミフレーム製の溝８、９の開口近傍の内面よりも硬度が高く、溝８、９の内面には突起部１０ｂが圧着された結果、凹状の刺嵌部が形成される。
【００３１】
実際の実験において、断面凸形状の左右の段差部分に半径０．２ｍｍのＲ面取りが施されたような形状の頂部を有する突起部１０ｂを設けた場合、突起部１０ｂを設けていない場合に比べて約１．５倍のグリップ力が得られることが判明した。これにより、一般成人の加重によって踏板３〜５が滑り落ちないように、踏板３〜５をアルミフレーム２２、２３に固定できることが判った。
【００３２】
なお、突起部１０ｂには、断面凸形状の左右の段差部分に両面テープを貼り付け、その上に、摺動保持具１０本体及び溝８、９の双方に突き刺さり、滑り止め機能を発揮するような、硬いスチールグリッド（鋼鉄の尖った部分を持つ粒）を貼り付けた物を含む。
【００３３】
図６は、アルミフレーム２２への摺動保持具１０の使用方法を図解する斜視図である。説明の便宜上、溝８と連結ねじ１９の間に介在する取り付け部材１３と、溝２４と連結ねじ１９の間に介在するフランジ２ａとを省略して示す。図示するように、アルミフレーム２２の溝８、２４に、摺動保持具１０を挿入し、所望の位置で、フランジ２ａ、取り付け部材１３の穴１３ａを介して連結ねじ１９を取り付けて締める。これによって、溝８、２４の内部にある摺動保持具１０を外側に牽引し、摺動保持具１０の突起部１０ｂを桁２の溝８、２４の開口近傍の内面に圧着し、刺して固定する。アルミフレーム２３においても同様である。なお、図５に示すように、摺動保持具１０は、断面凸形状を有しており、溝に沿う方向の長さＬ１は、溝８、９の溝幅Ｌ２よりも大きく、好ましくは溝幅Ｌ２又はねじ穴１０ａの直径の２倍以上の長さを有している。このため、長さＬ１に関し、溝８、９の溝幅Ｌ２以下で、この溝８、９から挿入して、９０度回転して用いるタイプのスライディングナットを複数並べて用いて、摺動保持具１０と同等の長さを得ようとする場合に比べて、取り付け部材１３に数センチより短い、例えば４ｃｍに満たない間隔で近接して開けられるねじ穴の数を少なくできる利点を有している。特に、近接して設けられるねじ穴が無いことは、階段の取り付け部材１３の強度上の観点、及び、取り付け部材１３の厚みを太くせずとも十分な強度が得られるという観点から非常に好ましい。
【００３４】
なお、踏板に人が乗った時に連結ねじ１９が撓むのを防ぐため、摺動保持具の断面凸状の中央突出部分の高さＨ１はアルミフレーム２２の溝の深さＨ２と同じ値にするのが好ましい。
【００３５】
図７は、カバー部材２０の（ａ）は左側面図、（ｂ）は背面図、（ｃ）は正面図、（ｄ）は右側面図、（ｅ）は底面図を示す。カバー部材２０は、同一断面形状を有する長尺部材で、平面図は底面図と同じである。
【００３６】
図８は、カバー部材２０の斜視図を示す。カバー部材２０は、溝８、９の開口を塞ぐ板状部分２０ａの裏面側に、溝８、９の開口に着脱可能に嵌る差し込み部、具体的には、一対の差し込み片部２０ｂ、２０ｃを有している。板状部分２０ａは、フラットな表面の板状のもの以外に、例えば、表面にエンボス加工等の装飾が施されて凸凹の有るもの、短手方向の断面が蒲鉾状となっているもののように、厚みに変化のあるものを含む。差し込み片部２０ｂ、２０ｃは、板状部材２０ａと同じ厚みを有しており、先端部分には溝８、９に嵌った状態を保持するための突起２０ｄが設けられている。なお、板状部分２０ａと差し込み片部２０ｂ、２０ｃの厚みをほぼ均一にすることによって、プラスチック射出成型によってカバー部材２０を製造する際、１個の金型で製造できるという利点を有する。
【００３７】
本実施の形態において、カバー部材２０の板状部分２０ａは、取り付け部材１３、１４と同じ厚み、同じ断面形状とする。これにより、外観上の一体感を形成する。例えば、取り付け部材１３、１４が厚み４．５ｍｍの場合、カバー部材２０の板状部分２０ａも４．５ｍｍの厚みのものを用いる。厚み４．５ｍｍの一対の差し込み片部２０ｂ、２０ｃは、万が一、上部に位置する踏板がずれ落ちてきても、折れ曲がらないようにする折れ曲がり防止壁として機能する。
【００３８】
図９は、カバー部材２０の変形例に係る、カバー部材２１の（ａ）は左側面図、（ｂ）は背面図、（ｃ）は正面図、（ｄ）は右側面図、（ｅ）は底面図を示す。カバー部材２１は、同一断面形状を有する長尺部材で、平面図は底面図と同じである。
【００３９】
図１０は、カバー部材２１の斜視図を示す。カバー部材２１は、溝８、９の開口を塞ぐ板状部分２１ａの裏面側に、溝８、９の開口に着脱可能に嵌る差し込み部を有している。この差し込み部は、具体的には、溝８、９の開口両側に沿って嵌り、溝８、９に嵌ったら抜けないようにする「かえし」の付いている一対の差し込み片部２１ｂを有している。なお、比較的頻繁に、カバー部材２１の取り外しが必要になる場合、この一対の差し込み片部２１ｂは、溝８、９に着脱可能に嵌り、例えば、一定以上の力を掛けて引っ張れば比較的容易に外れるように、角の丸い「かえし」を有しているものを採用する。カバー部材２１は、取り付け部材１３、１４と同じ厚みのものを用いる。これにより、外観上の一体感を形成する。たとえば、取り付け部材１３、１４が厚み４．５ｍｍの場合、カバー部材２１の板状部分２１ａも４．５ｍｍの厚みのものを用いる。
【００４０】
カバー部材２１は、一対の差し込み片２１ｂの間に、溝８、９の開口に沿って連続して設けられ、板状部分２１ａとでT形材を形成する、例えば４．５ｍｍの厚みの折れ曲がり防止壁部２１ｃを備える。板状部分２０ａと折れ曲がり防止壁部２０ｃとは、万が一、上部に位置する踏板がずれ落ちてきても、折れ曲がらない厚み（上記の例では４．５ｍｍ）に設定され、一対の差し込み片部２０ｂは、溝８、９の開口に差し込みやすいように、比較的撓みやすい薄さ（例えば１ｍｍ以下）に設定する。カバー部材２０は、プラスチック製のものを用いるが、溝８、９への差し込みやすさと、折れ曲がりにくさの強度を担保できるという条件を満たす限りにおいて、金属製等、他の素材のものを用いても良い。カバー部材２１は、カバー部材２０と比べて、硬度の高い材質のものを用いる際に、着脱容易性と、万が一の安全性とを両立させるのに向いている。本実施形態ではカバー部材２０を用いて説明するが、カバー部材２１を用いても良い。
【００４１】
図１１は、桁２への踏板４の取り付け方を図解する分解斜視図である。図１２は、カバー部材２０の桁２の両側部への取り付け方を図解する分解斜視図である。桁２の溝８、９には、予定する踏板を取り付けるための数の摺動保持治具１０を納めておく。なお、摺動保持具１０を追加する必要が生じた場合には、アルミフレーム２２、２３の一部又は全部をフランジ２ａから取り外して、追加する。施工時、床の基準高さ、即ちコンクリート床１００の上に作り上げられるフローリングや絨毯を敷き詰めた床の高さが正確に決まっていない時は、カバー部材２０は使用せず（準備せず）、連結ねじ１９のみで、踏板４を取り付ける。この場合、いわゆる仮取り付けになるが、後に取り付け位置を変えても、前に取り付けた痕（刺嵌部等）が外観上見えないので、しっかりと取り付けることができる。摺動保持具１０は、溝８、９に直交する向きにライン状に伸びている複数の突起部１０ｂ（図６を参照）を備えており、滑り止め機能を果たす。摺動保持具１０は鉄製で、アルミ製の溝８、９の開口部近傍の内面よりも硬度が高く、突起部１０ｂが圧着された場合、当該内面に刺さり、凹まし、刺嵌部を形成する。これにより、カバー部材２０を用いずとも、安心安全に階段の上り下りを行うことができる。
【００４２】
施工作業が進み、床の基準高さが決まった場合、踏板の正確な間隔が決まる。この正確な間隔に基づいて決まる長さの、カバー部材２０を必要数用意する。図９に示す例では、踏板４を正確な位置に直し、連結ねじ１９を再度締め、アルミ製の溝８、９の開口部近傍の内面に、摺動保持具１０の突起部１０ｂを刺して凹まし、刺嵌部を形成し、固定する。位置直し前の刺嵌部は、溝８、９の開口部近傍の内面にあるため外観に現れない。この後、カバー部材２０を嵌めて階段が完成する。カバー部材２０を踏板４の位置固定前に嵌めても良い。カバー部材２０は、アルミフレーム２２、２３の溝８、９を塞ぎ、外観を整え、ほこりなどが入り込まないようにする機能の他に、前述したように、万が一、上部に位置する踏板がずれ落ちてきても、折れ曲がらずに、事実上の踏み台のずれ落ちを防ぎ、階段の使用者を危険から守る機能を有している。
【００４３】
なお、本発明の実施の形態の変形例として、溝８、９を、アルミフレーム２２、２３の底側に設け、摺動保持具１０の突起部１０ｂが踏板に加重されるごとに、溝の開口部近傍の内側に押さえつけられる構成を採用しても良い。この場合、踏板側に設ける取り付け部材の形状を、桁２の周りを囲むような形状にする必要が生じるが、突起部１０ｂについて、より一層の滑り止め機能が発揮され、安心安全な階段の上り下りが実現される。
【００４４】
以上説明したように、本発明に係る階段は、床の基準高さが決まる前に仮取り付けした踏板の位置を変えても、前に踏板を取り付けていた痕が外観上見えない。このため、施工業者は、踏板をしっかりと仮取り付けすることができる。また、摺動補助具の備えている突起部が滑り止め機能を果たし、安心安全な階段の上り下りを実現する。さらには、カバー部材は、外観を整え、溝にほこりが入り込まないようにするだけでなく、万が一、ずれ落ちてきた上部に位置する踏板を支え、事実上の踏板のずれ落ちを防ぎ、階段の使用者を危険から守る。
【００４５】
本発明の階段は、前述した発明の作用及び効果を奏し得る、という条件を満たす限りにおいて、説明した実施形態のものに限定されない。例えば、桁の数は、実施形態においては１本にしたが、これに限定されず、２本桁の階段又はそれ以上の数の桁を用いる階段においても、本発明の階段は実施可能である。また、摺動保持具１０は、ナット形状のものを持ちたが、ボルト形状のものを用いても同等の作用効果が得られる。
【産業上の利用可能性】
【００４６】
本発明の階段は、１本以上の桁構造を採用し、その上に踏板を設けるタイプの階段に用いることができる。当該階段に用いた摺動保持具は、差し込まれる溝の中での位置ずれを防ぐ必要のある構造物へ応用することができる。
【符号の説明】
【００４７】
１                  階段
２                  桁
２ａ、２ｂ          フランジ
２ｃ                ウェブ
３、４、５、６      踏板
７                  支柱
８、９、２４、２５  溝
１０                摺動保持具
１０ａ              ねじ穴
１３、１４、１５、１６、１７、１８  取り付け部材（板状取付部）
１９                連結ねじ（連結部）
２０、２１          カバー部材
２０ａ、２１ａ      板状部分
２０ｂ、２０ｃ、２１ｂ一対の差し込み片部
２１ｃ              折れ曲がり防止壁
２２、２３          アルミフレーム
１００              コンクリート床
１０１              上の階の床
【図１】
2020016064.tif 000003
【図２】
2020016064.tif 000004
【図３】
2020016064.tif 000005
【図４】
2020016064.tif 000006
【図５】
2020016064.tif 000007
【図６】
2020016064.tif 000008
【図７】
2020016064.tif 000009
【図８】
2020016064.tif 000010
【図９】
2020016064.tif 000011
【図１０】
2020016064.tif 000012
【図１１】
2020016064.tif 000013
【図１２】
2020016064.tif 000014
【図１３】
2020016064.tif 000015